(57)【要約】【課題】  コイン精米機にあって、精米作業中における不適切な穀粒の追加投入や、誤投入等を防止する。また、利用者が玄米ホッパに玄米を投入し易くする。【解決手段】  玄米を玄米ホッパ（１）へ投入させる玄米投入口（２）の外側に、玄米袋を載せて昇降可能で、かつこの玄米投入口（２）を開閉する投入シャッタ（３３）を設け、この投入シャッタ（３３）を、コイン投入口（４）に対する料金投入によって玄米投入口（２）を開いて玄米袋載置位置（３３ａ）に移動し、玄米を玄米ホッパ（１）に投入して精白選択スイッチ（５）の操作によって精米運転を開始すると、投入シャッタ（３３）を玄米投入口（２）が閉鎖される位置（３３ｃ）まで移動する。【選択図】  図６
2010274196.tif 000002
【特許請求の範囲】
【請求項１】
玄米を玄米ホッパ（１）へ投入させる玄米投入口（２）の外側に、玄米袋を載せて昇降可能で、かつこの玄米投入口（２）を開閉する投入シャッター（３３）を設け、この投入シャッター（３３）を、コイン投入口（４）に対する料金投入によって玄米投入口（２）を開いて玄米袋載置位置（３３ａ）に移動し、玄米を玄米ホッパ（１）に投入して精白選択スイッチ（５）の操作によって精米運転を開始すると、投入シャッター（３３）を玄米投入口（２）が閉鎖される位置（３３ｃ）まで移動することを特徴とするコイン精米機。
【請求項２】
前記投入シャッター（３３）は、コイン投入口（４）に料金を投入することによって玄米投入口（２）を開いて、床面（Ｙ）近くの玄米袋載置位置（３３ａ）へ下降すると共に、この袋載位置において玄米袋の重量を検出することによって玄米投入位置（３３ｂ）まで上昇することを特徴とする請求項１に記載のコイン精米機。
【発明の詳細な説明】
【技術分野】
【０００１】
この発明は、利用者の持込玄米を精米処理するコイン精米機に関する。
【背景技術】
【０００２】
玄米投入口の前側に沿って袋載台を昇降させて、重い玄米袋を持ち上げて、玄米ホッパへの玄米投入を行い易くする技術（例えば、特許文献１参照）や、玄米投入口を開閉する投入シャッタを設け、非精米作業時はこの投入シャッタを閉じて、異物の投入を防止する技術（例えば、特許文献２参照）が知られている。
【先行技術文献】
【特許文献】
【０００３】
【特許文献１】特許第３７４８８０６号公報（第６頁、図４）。
【特許文献２】特開２００６ー６１７６６号公報（第１頁、図１４）。
【発明の概要】
【発明が解決しようとする課題】
【０００４】
コイン精米機にあっては、玄米ホッパに玄米を投入していない状態や、既に玄米を投入していて精米作業中にあって、精米作業中における不適切な穀粒の追加投入や、誤投入等を防止する。特に、精米作業中に投入口が開いた状態にあると、料金がなくなりかけた時に玄米を追加投入したときは、料金がなくなったときに投入ホッパに玄米が残り、この玄米を回収するのに手数を要して面倒である。本発明はかかる課題を解決することを目的とする。また、利用者が玄米ホッパに玄米を投入し易くすることを課題とする。
【課題を解決するための手段】
【０００５】
請求項１に記載の発明は、玄米を玄米ホッパ（１）へ投入させる玄米投入口（２）の外側に、玄米袋を載せて昇降可能で、かつこの玄米投入口（２）を開閉する投入シャッタ（３３）を設け、この投入シャッタ（３３）を、コイン投入口（４）に対する料金投入によって玄米投入口（２）を開いて玄米袋載置位置（３３ａ）に移動し、玄米を玄米ホッパ（１）に投入して精白選択スイッチ（５）の操作によって精米運転を開始すると、投入シャッタ（３３）を玄米投入口（２）が閉鎖される位置（３３ｃ）まで移動することを特徴とするコイン精米機の構成とする。
【０００６】
請求項２に記載の発明は、前記投入シャッタ（３３）は、コイン投入口（４）に料金を投入することによって玄米投入口（２）を開いて、床面（Ｙ）近くの玄米袋載置位置（３３ａ）へ下降すると共に、この袋載位置において玄米袋の重量を検出することによって玄米投入位置（３３ｂ）まで上昇することを特徴とする請求項１に記載のコイン精米機の構成とする。
【発明の効果】
【０００７】
請求項１に記載の発明は、前記のように玄米投入口２を開閉する投入シャッタ３３を、玄米袋を持ち上げる袋載台を兼用する構成とするため、構成を簡単にして、玄米供給作用を容易にすることができ、精米途中の不適切な玄米の追加投入や、異物等の投入を防止することができる。
【０００８】
請求項２に記載の発明は、前記のように、重い玄米袋を持上げるときは、玄米投入口２を閉鎖している投入シャッタ３３を、床面近くまで下降させて、玄米袋の載置を容易に行うことができ、この玄米袋を玄米投入位置３３ｂまで上昇させることによって、玄米ホッパ１への玄米投入作業を容易に行わせることができる。
【図面の簡単な説明】
【０００９】
【図１】コイン精米機の平面配置図。
【図２】コイン精米機の正面図。
【図３】その側面図。
【図４】精米処理行程を示すブロック図。
【図５】操作盤の正面図。
【図６】投入シャッタの作動を示す側面図。
【図７】その作動制御を示すブロック図。
【発明を実施するための形態】
【００１０】
図面に基づいて、コイン精米機は建屋のハウス７内を仕切壁８で仕切り、操作室９と、精米装置１０等を設置する機械室１１とを区画構成する。このコイン精米機を利用する利用者は、この操作室９のドア口１２から入り、精米しようとする玄米を持込んで、仕切壁８部に設ける玄米ホッパ１へ供給して精米装置１０による精米を行わせて、白米として白米ホッパ１３に取出すものである。前記仕切壁８には、中央部に操作盤１４を設け、この左右一側の玄米ホッパ１３の手前側に玄米投入口２、及びこの投入シャッタ３等を構成し、左右他側に白米ホッパ１３等を配置する。
【００１１】
前記機械室１１の仕切壁８側には、左端部に玄米ホッパ１を設け、右端部に白米ホッパ１３を設ける。この機械室１１内には、これら玄米ホッパ１から供給搬送される玄米を受けて石抜き選別する石抜選別装置１５、この選別された玄米を受けて精米する精米装置１０、及び、これらこの間に配置の各揚穀装置１６、１７等を配置し、この精米装置１０で精米した白米を、前記白米ホッパ１３に取出すことができる。
【００１２】
又、前記精米装置１０の側部には、精米装置１０から取出される白米を一時貯留する無洗米用ホッパ１８を設けて、この無洗米用ホッパ１８で貯留した白米を再度前記揚穀機１７から精米装置１０に供給して精米して無洗米として白米ホッパ１３へ取出すことができる構成としている。
【００１３】
前記玄米ホッパ１の上側には、操作室９に連通する玄米投入口２を形成し、この玄米投入口２を開閉可能の投入シャッタ３を設ける。
前記操作盤１４には、料金投入用のコイン投入口４や、コイン投入に代えてバーコードを読取るバーコードセンサ（図示せず）、料金返却用の返却レバー２１、投入料金を表示する料金表示窓２２、及び、異常表示用のパイロットランプ２３等を配置している。又、このコイン投入口４の下方には、精米作業コースを選択するための精白度選択スイッチ５として、上白スイッチ５Ｃや、標準スイッチ５Ｄ、８分づきスイッチ５Ｅ、及び無洗米スイッチ５Ｆ等を設け、更に、玄米ホッパ１に対して玄米を連続的に投入しながら精米を連続運転させるためのシャッタスイッチ６等を設けている。２０は音声案内用のスピーカである。
【００１４】
ここにおいて、玄米を玄米ホッパ１へ投入させる玄米投入口２を上下方向に昇降動作して閉鎖又は開放する投入シャッタ３を設け、所定の精米料金の投入を受けて精米運転を開始するコイン投入口４と、この精米運転の精白度を決めて精米を開始する精白度選択スイッチ５を設けるコイン精米機において、前記コイン投入口４に料金を投入することよって前記投入シャッタ３を開いて玄米の投入を可能とし、前記精米開始後に投入シャッタ３を閉鎖することを特徴とするコイン精米機の玄米投入装置の構成とする。持込玄米を精米するときは、精米しようとする玄米量に応じた精米料金（コイン）をコイン投入口４へ投入する。この料金投入によって精米装置１０が運転されると共に、玄米投入口２の投入シャッタ３が開かれて、この玄米入口２から玄米を玄米ホッパ１へ投入することができる。この投入シャッタ３の開かれた玄米投入口２から所定量の玄米を玄米ホッパ１へ投入する。ここで、精白度選択スイッチ５を選択操作すると、ロータリバルブ３０が駆動を開始して精米装置による玄米の精米作業が行われると共に、この精米作業開始によって前記投入シャッタ３が閉鎖される。
【００１５】
精米運転中に、持込玄米量が多く玄米を追加投入する場合、あるいは玄米ホッパ１内の状況を確認する場合には、シャッタスイッチ６を操作することで、投入シャッタ３が開く。そして、追加玄米を投入したり現在の玄米量を確認して再度シャッタスイッチ６を操作すると投入シャッタ３は閉じる。前記のように精米装置運転中の投入シャッタ３は、何れかの精白度選択スイッチ５の操作によって精米装置が駆動されることによって閉鎖状態に維持されるが、このシャッタスイッチ６を操作することによって開くことができるため、追加玄米を玄米ホッパ１へ投入して精米を継続する場合に便利である。
【００１６】
あるいは、シャッタスイッチ６の代わりに、前記精白度選択スイッチ５を用いて投入シャッタ３を開くように構成することも可能であり、特別のスイッチを設けることなく、他のスイッチを利用して追加玄米の投入を容易に行わせる形態とすることも可能である。
【００１７】
また、追加玄米を投入する場合には、初期精米を終了前、乃至終了後に、前記コイン投入口４へ追加精米料金を投入することにより、料金投入センサ２８で検出して、コントローラ２９からの出力によって、玄米投入口２の投入シャッタ３を開く構成にしても良い。ここで玄米投入口２から玄米ホッパ１へ追加玄米を投入することで、精米装置の駆動を延長して追加玄米を継続させることができる。このときは、投入シャッタ３が開いてから所定時間が経過するかシャッタスイッチ６を操作することで、前記同様に投入シャッタ３が閉鎖されて精米作業が継続される。
【００１８】
また、前記精米作業において、コイン投入口４に対する投入料金が誤って不足しているときは、途中で精米作業が停止して、精米装置等の内部途中位置に玄米が残留した状態となることがある。このときは、不足料金をコイン投入口４へ投入すると共に、何れかの精白度選択スイッチ５を操作することによって、精米作業を再開、乃至継続し、投入シャッタ３を開いても、精白度選択スイッチ５の操作によって、玄米の投入を不要として、精米作業を再開して、直ちに閉鎖することができる。精米作業中の誤操作等による玄米投入を防止することができる。
【００１９】
なお、前述の精米装置等の内部途中位置に玄米が残留した状態か否かの検出は、玄米ホッパ１に設ける投入玄米有無検出センサ１ｓや、精米装置１０に供給する玄米を一時貯留する一時貯留ホッパ２５に設ける残留玄米有無検出センサ２５ｓの玄米有りの検出により判定し、音声スピーカ２０により報知する構成としている。
【００２０】
前記投入シャッタ３の別実施例として、図６に示すように、玄米投入口２を開閉する機能と、玄米袋を載せてこの玄米投入口２の高さ位置まで上昇するリフト機能とを有する投入シャッタ３３。
【００２１】
作業開始前は、この投入シャッタ３３は、玄米投入口２の閉鎖位置３３ｃに維持して、玄米投入口２からは玄米や、異物等を投入することはできない状態にある。
精米料金をコイン投入口４へ投入することによって、玄米投入口２を閉鎖していた投入シャッタ３３が、このシャッタ軸２０の周りに外側へ水平状態へ回動して、この玄米投入口２を開放する。そして、この開放回動した投入シャッタ３３は、このシャッタ軸２０部を上下方向のリフトガイド２１に案内させてリフターによって下降駆動される。そして、投入シャッタ３３が操作室９の床面Ｙ上に接近する玄米袋載置位置３３ａまで到達するとして下降駆動が停止される。続く玄米袋Ｇの載置を待つ。
【００２２】
前記玄米袋載置位置３３ａに下降した投入シャッタ３３の上面に、予め持込んでおいた玄米袋Ｇを利用者が持上げて搭載する。この投入シャッタ３３のシャッタ軸２０部等には、ロードセル等からなる重量センサ２２が設けられていて、この重量センサ２２による重量検出によって、投入シャッタ３３が上昇駆動される。この投入シャッタ３３が玄米袋Ｇを載置した状態で玄米投入口２と略同じ高さ位置である玄米投入位置３３ｂに上昇されて停止する。この状態で利用者は、投入シャッタ３３上面の玄米袋Ｇの袋口を開けて、玄米ホッパ１上の袋受網棚２３上に排出して玄米投入を行う。この玄米ホッパ１内に供給された玄米は、この玄米ホッパ１内に設けられた玄米センサ２４によって検出され、ロータリバルブ３０の駆動によって揚穀機１６側へ繰出搬送できる形態である。
【００２３】
このようにして、投入シャッタ３３が玄米投入位置３３ｂに玄米袋載置姿勢で停止している間に、玄米の投入作業を行って、玄米袋Ｇの重量を検出しない状態となるか、又は、精白度選択スイッチ５で精白度を選択することによって、コントローラ２９からの出力によって、この玄米袋載置姿勢の投入シャッタ３３を、シャッタ軸２０周りに上方へ回動させて、玄米投入口閉鎖位置３３ｃまで移動して、玄米投入口２を閉鎖する。
【００２４】
前記投入シャッタ３３は、上昇位置で適宜傾斜開度Ａ位置へ回動して止めるように構成することも可能で、玄米袋Ｇからの玄米の排出投入を一層行い易くすることができる。このような投入シャッタ３３の傾斜角度Ａ位置の操作は、操作盤１４にシャッタ回動スイッチ２６を設けて操作する形態とすることも可能である。又、この投入シャッタ３３をシャッタ昇降スイッチ２７を設けて昇降させて、複数個の玄米袋Ｇを持上げて、玄米投入口２から玄米ホッパ１へ連続投入できる形態とすることも可能である。あるいは、シャッタ回動スイッチ２６とシャッタ昇降スイッチ２７をまとめて上昇・閉鎖スイッチ（図示せず）と下降・開放スイッチ（図示せず）の２つのスイッチで投入シャッタ３３を手動で操作する構成でも良い。
【００２５】
このようにして、玄米袋Ｇを上昇させて、玄米を玄米ホッパ１へ投入した後、前記精白度選択スイッチ５を押すと精米装置１０や、石抜選別装置１５、揚穀装置１６、１７等の駆動によって精米作業が開始される。そして、投入シャッタ３３は、精米作業を開始すると、玄米投入口２を閉鎖して作動完了することとなる。
【００２６】
前記リフトガイド２１に案内されて昇降されるシャッタ軸２０には、プレートアーム２８を有して、投入シャッタ３のソケット２９を嵌合させて、着脱可能に構成している。この投入シャッタ３のソケット２９上側部にロードセルからなる重量センサ２２を設けて、この投入シャッタ３３の支持する玄米袋の重量を検出することができる。
【００２７】
前記のように、料金をコイン投入口４に投入することによって投入シャッタ３３を開く形態では、玄米ホッパ１のロータリバルブ３０が停止した後でも玄米を投入することが可能であり、この玄米の投入が行われることになると、玄米ホッパ１内に玄米が残留する可能性あり、好ましくない。しかしながら、前記のように、この精米途中で玄米投入口２の投入シャッタ３３を閉めることによって、玄米の玄米ホッパ１への誤投入を防止することができる。
【００２８】
もちろんこの実施例においても、前述のシャッタスイッチ６を操作して再度投入シャッタ３３を開けて、玄米の追加投入や玄米ホッパ１内の確認を行うことができる。あるいは、前述の下降・開放スイッチ（図示せず）操作することによって、投入シャッタ３３を所望の位置まで開放・下降して次の玄米袋Ｇを載置して上昇・閉鎖スイッチ（図示せず）を操作して新たな玄米を投入することができるように制御構成することもできる。
【００２９】
前記精米制御において、通常の精米コースＡと、無洗米コースＢを、精米機起動後であっても変更可能な制御形態とするものである。利用者がコースＡ、Ｂの選択や、白度５Ｃ、５Ｄ、５Ｅ選択を行い、白度５Ｃ、５Ｄ、５Ｅ位置の移動中に、再度異なる白度の選択を行った場合は、最初に選択した白度位置に移動中にあっても、一旦移動を止めて、最後に選択した白度位置に移動制御する構成とする。これによって、誤って白度位置を選択した場合でも、利用者が間違えたことに気付いたときは、再度希望の白度選択をすることにより、意図しない精米状態の異種米の混入を最小限にすることができる。
【００３０】
各白度選択設定位置にて待機時間を設けているため、各白度設定位置にて利用者の再選択が行われていないかの確認演算処理が行われる。利用者が再選択を行っている場合は、当初の白度移動位置への移動はキャンセルして再選択位置へ移動を行うように制御する。
【００３１】
精米機の部品は運転期間に応じて摩耗していくため、除々に白度が低くなる。このため、この白度を一定に維持するようにメンテナンス調整を行う必要がある。そこで、累積の精米処理量を記憶し、所定の処理量が経過すると、白度を上げていくように制御する。そして、処理量を自動で計測し、それに合った白度調整を行うため、省メンテナンスとすることができる。例えば、精米処理量を玄米ホッパ１下部のロータリバルブ３０の処理能力により検出し、制御部に累積して、所定の処理量、例えば１トンの処理を終えた場合、次の利用時より上白の位置を所定の白度だけ上げた位置（例えば、０、５ポイント上）に移動して制御を行わせる。
【００３２】
前記投入シャッタ３３が閉鎖することによて、精米作業を開始するように制御構成することができるが、この場合、この投入シャッタ３を閉鎖するためのスイッチを精白度選択スイッチ５のうちのいずれかに設定することができ、この精白度選択スイッチ５によって、投入シャッタ３が閉鎖作動途中であっても、この投入シャッタ３の作動を一時停止、及び再度、開かせることがせきる制御形態とすることができる。
【００３３】
利用者の玄米投入口２からの玄米投入を完全に行った後に、精米装置１０を起動するため、玄米の追加や、途切れが無くなる。正規の料金での利用が可能となり、精米時間を短縮することができる。又、利用者が連続使用状態にあっても、投入シャッタ３を閉めるため、コインを投入しないと異物を入れないので、異物混入を防止することができる。又、投入シャッタ３を閉鎖するための閉鎖スイッチを玄米投入口２から離れた位置に配置することにより、投入シャッタ３閉鎖時の危険を防止することができる。又、前記のように精白度選択スイッチ５を兼用することにより、特別のスイッチを設けることなく、安価な構成とすることができる。
【００３４】
前記投入シャッタ３が閉鎖することによって精米作業が開始されるように制御する。連続で数袋の玄米を持込んで投入する場合に、前記シャッタスイッチ６を精米作業前に押して精白度選択スイッチ５をＯＮすれば、投入シャッタ３が閉じない状態で精米することで利用者が連続して玄米ホッパ１に玄米を投入できる制御構成である。この精米装置１０を連続利用として選択して起動した場合は、玄米ホッパ１部に設けた玄米のセンサーがＯＦＦしても通常の場合よりも長い所定時間ＯＦＦしなければ終了動作に移行しないように制御する。
【００３５】
利用者が玄米投入を完全に行った後に精米装置を起動するため、玄米の追加投入や、途切れ等がなくなる。正規の料金で利用可能となると共に、精米時間を短縮することができる。又、連続で利用者がいたとしても、投入シャッタ３を閉鎖するため、料金を投入しないとこの投入シャッタ３が開かず、異物を投入できないので、異物混入を防止することができる。又、連続利用の利用者も度々投入シャッタ３を閉鎖しなくてよい。
【００３６】
前記のように玄米投入口２に開閉可能な投入シャッタ３を設けて、利用者の料金投入を検出するとこの投入シャッタ３を開ける。利用者が玄米の投入を完了した後ち、操作室９に設けたシャッタスイッチ６を押すことにより、投入シャッタ３を閉じなくても白度選択ができるように制御する。利用者は精米開始後玄米ホッパ１部に玄米が少なくなると、次の玄米を投入して連続利用することができる。このように予め利用者が連続利用することが伴っているため、玄米ホッパ１の検出センサがＯＦＦしても直ちに終了動作へ移行するのではなく、利用料金分の運転時間までは終了動作に移行しない制御とすることができる。
【００３７】
又、前記コイン投入口４にコインを返却可能なコインメックを設けている場合は、利用者が利用料金を返却した場合は一度玄米投入口２部の投入シャッタ３を閉じないと、次の料金を受けつけないように制御する。利用者の玄米投入を完全に行った後に精米装置１０を起動するため、玄米の追加投入や、途切れがなくなる。正規の料金での利用可能となると共に、精米時間の短縮となる。又、連続で利用者がいたとしても投入シャッタ３を閉じるため、料金を入れないと異物を入れられないので異物混入を防止できる。返却可能なコインメックを装備していると料金を返却した後に異物の混入が可能であるため、これを防止する。
【００３８】
玄米投入口２に開閉可能な投入シャッタ３を設け、利用者の料金投入を検知すると投入シャッタ３を開ける。利用者が投入金を返却操作を行うと投入金を返却するが再度利用しようと料金を投入しても受付を行わない制御とし、スピーカ２０の音声等で投入シャッタ３を閉鎖する動作を案内した後に投入シャッタ３を閉鎖し、この閉鎖を検出した後に再度料金を受付可能な状態へと制御する。
【００３９】
又、前記投入シャッタ３を開いた後、返金操作をすると、この投入シャッタ３を閉じた後に投入料金を返金するように制御することも可能である。
【符号の説明】
【００４０】
１      玄米ホッパ
２      玄米投入口
３      投入シャッタ
４      コイン投入口
５      精白度選択スイッチ
６      シャッタスイッチ
２０    シャッタ軸
２２    重量センサ
【図１】
2010274196.tif 000003
【図２】
2010274196.tif 000004
【図３】
2010274196.tif 000005
【図４】
2010274196.tif 000006
【図５】
2010274196.tif 000007
【図６】
2010274196.tif 000008
【図７】
2010274196.tif 000009